(57)【要約】      （修正有）【課題】床面上に存在する軽量のホコリやチリは通常の電気掃除機により吸引すると共に、床面に付着した汚れやペットの抜け毛等を吸引作業と同時に払拭することができる吸込口装着具を提供する。【解決手段】掃除機の吸込口に装着される吸込口装着具１であって、吸込口装着具は、開孔部１１を有する基材本体１０と、基材本体に設置された締結材１２と、基材本体に被覆されるシート材２０とで構成されていることを特徴とする。また基材本体は、上面の硬質シート材１３と下面の柔軟性部材１４とを備える。また締結材は面ファスナーにて形成されている。またシート体に、吸込口開口部２１と締結材開口部２２を穿設させた。さらにシート体に液体成分を含有させた。【選択図】図１
0003135692.tif 000002
【実用新案登録請求の範囲】
【請求項１】
掃除機の吸込口に装着される吸込口装着具であって、該吸込口装着具は、開孔部を有する基材本体と、該基材本体に設置された締結材と、前記基材本体を被覆するシート材とで構成されていることを特徴とする吸込口装着具。
【請求項２】
前記基材本体は、上面の硬質シート体と下面の柔軟性部材とを備える請求項１記載の吸込口装着具。
【請求項３】
前記締結材は、面ファスナーにて形成されている請求項１または２記載の吸込口装着具。
【請求項４】
前記シート材に、吸込口開口部と締結材開口部を穿設した請求項１乃至３のうちいずれか１記載の吸込口装着具。
【請求項５】
前記シート材に液体成分を含有させた請求項１乃至４のうちいずれか１項に記載の吸込口装着具。
【考案の詳細な説明】
【技術分野】
【０００１】  本考案は、通常の電気掃除機の吸引特性と共に、掃除面の払拭効果も兼ね備える掃除機の吸込口装着具に関する。
【背景技術】
【０００２】  一般的な電気掃除機として、ファンを作動させて容器内を負圧状態とし、吸込口よりゴミやホコリ等を吸引し、フィルターで空気とゴミを分離し掃除を行う真空式掃除機が広く使用されている。【０００３】  また特に、簡単な構成によって、吸い込み口体を軽い力でスライドさせることができる吸い込み口体及びそれを用いた電気掃除機がある（例えば、特許文献１参照）。
上掲特許文献１には、下面に吸塵開口部を有し、側面若しくは上面に吸込ホースを接続する接続口を有した吸い込み口体を供える電気掃除機において、上記側面若しくは上面に空気取入口を設けた技術が開示されている。
【特許文献１】特開２００１−２９２９３９号公報
【考案の開示】
【考案が解決しようとする課題】
【０００４】  しかしながら、一般的な真空式掃除機や上掲特許文献１の電気掃除機においては、床面上に存在する軽量のホコリやチリを吸引除去することはできるが、床面に付着した汚れやペットの抜け毛等は吸引することができなかった。そのため、掃除機を掛けた後、再度拭き掃除を行わなければならなかった。【０００５】  そこで本考案は上記した従来技術の課題を解決するために、床面上に存在する軽量のホコリやチリは通常の電気掃除機により吸引すると共に、床面に付着した汚れやペットの抜け毛等を吸引作業と同時に払拭することができる吸込口装着具を提供することにある。
【課題を解決するための手段】
【０００６】  上記課題を解決するために、掃除機の吸込口に装着される吸込口装着具であって、該吸込口装着具は、開孔部を有する基材本体と、該基材本体に設置された締結材と、前記基材本体に被覆されるシート材とで構成されていることを特徴とする。また前記基材本体は、上面の硬質シート材と下面の柔軟性部材とを備える。また前記締結材は面ファスナーにて形成されている。また前記シート材に吸込口開口部と締結材開口部を穿設させた。さらに前記シート材に液体成分を含有させた。
【考案の効果】
【０００７】  基材本体にシート材を被覆し、かかる基材本体を締結材にて掃除機の吸込口に装着することで、床面上に存在する軽量のホコリやチリは通常の電気掃除機により吸引することができ、同時に、床面に付着した汚れやペットの抜け毛等はシート材にて払拭することができる。またシート材に液体成分を含有させたことで、床面の払拭効果が一層向上する。
【考案を実施するための最良の手段】
【０００８】  以下、本考案における吸込口装着具の形態を図面に基づいて説明する。
図示する吸込口装着具１は、汎用の電気掃除機の吸込口２の底面に装着されるもので、開孔部１１を有する基材本体１０と、該基材本体１０に設置された締結材１２と、前記基材本体１０に被覆されるシート材２０とで構成されている。
【０００９】  基材本体１０は、掃除機の吸込口２と同様の矩形状に形成されており、略中央部には、吸込口２の吸引口３に対応する開孔部１１が穿孔されている。また前記基材本体１０は、上面の硬質プラスチックからなるシート体１３と、下面の発泡樹脂からなる柔軟性部材１４とを備える。
【００１０】  締結材１２は、基材本体１０を吸込口２に装着させるもので、基材本体１０の両側面に一対設置されている。また特に、前記締結材１２は面ファスナーにて形成されている。前記締結材１２は表面１５が雌部材、裏面１６が雄部材からなる汎用の面ファスナーからなる。前記締結材１２を面ファスナーにて形成することで、着脱操作が容易になると共に、コストの削減が実現できる。
【００１１】  シート材２０は柔軟性を有する織布、不織布等からなり、２００ｍｍ×３００ｍｍ程度の大きさを呈する。またシート材２０には、大形の吸込口開口部２１が一箇所と、小形の締結材開口部２２が四箇所穿設されている。前記吸込口開口部２１は、基材本体１０の開孔部１１と同様の長さを有し、締結材開口部２２は、締結材１２を挿脱可能な大きさに形成されている。
【００１２】  また他の好適例として、前記シート材２０に液体成分を含有させることが望ましい。かかる液体成分は、水性界面活性剤、水性つや出し剤、水性洗浄剤等が使用される。前記シート材２０に液体成分を含有させることにより、床面に付着した汚れやペット等の抜け毛を効率よく払拭することができる。なお前記シート体２０は、市販のウエットシートを使用してもよい。
【００１３】  次に、本考案の吸込口装着具の使用方法を図面に基づいて説明する。
先ず図２に示すように、シート材２０を基材本体１０の下方に配設する。そしてそれぞれの締結材１２の先端を締結材開口部２２に挿入し、シート体２０の端部を基材本体１０の上面に折り畳み、基材本体１０にシート材２０を装着させる。この際、基材本体１０の開孔部１１とシート材２０の吸込口開口部２１とは同じ位置に配設される。
【００１４】  次に、図３に示すように基材本体１０の上面に掃除機の吸込口２を載置し、それぞれの締結材１２を互いに係合させる。そのことで、吸込口２の下部に吸込口装着具１を締結させることができる。
【００１５】  この状態で、通常のように電気掃除機を作動させると、図４に示すように、吸込口２の吸引口３から軽量のゴミやチリ等が吸引される。また同時に、床面に付着した汚れやペット等の抜け毛は、シート材２０により床面を払拭される。また基材本体１０の下面には柔軟性部材１４が配設されているため、凹凸を有する床面においても、効率よく払拭することができる。なお、通常掃除しきれない角部や細部においては、基材本体１０に被覆した余分なシート材２０を利用し、指先で払拭することも可能となる。
【図面の簡単な説明】
【００１６】
【図１】本考案の吸込口装着具の全体斜視図である。
【図２】基材本体にシート材を被覆した状態を示す。
【図３】吸込口装着具を掃除機の吸込口に装着した状態を示す。
【図４】使用状態の拡大断面図である。
【符号の説明】
【００１７】１    吸込口装着具
２    吸込口
３    吸引口
１０  基材本体
１１  開孔部
１２  締結材
１３  シート体
１４  柔軟性部材
１５  表面
１６  裏面
２０  シート材
２１  吸込口開口部
２２  締結材開口部
【図１】
0003135692.tif 000003
【図２】
0003135692.tif 000004
【図３】
0003135692.tif 000005
【図４】
0003135692.tif 000006